【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
ネットワークを介して、デジタル化されたＫＶＭ信号を、リモートユーザワークステーションに伝達するために、該ネットワークと通信するように接続されたネットワークポートと、
対応するラインを介して、対応する複数のサーバに通信するように接続する複数のインターフェイスポートと、
該対応するラインの１つを介して送信するために、サーバからのネイティブＫＶＭ信号を、中間フォーマットに転換する信号調整器と
を含むネットワークインターフェイスユニットを
含む、キーボード、ビデオ、マウス（ＫＶＭ）信号管理システム。
【請求項２】
前記ネットワークインターフェイスユニットが、
前記ネットワークポートと、選択された前記インターフェイスポートの１つとの間で、データをルーティングするスイッチングサブシステムと、
前記デジタル化されたＫＶＭ信号に対する前記信号調整器から受信した、中間フォーマットのネイティブＫＶＭ信号を翻訳するためのデジタル化サブシステムと
をさらに含む、請求項１に記載のシステム。
【請求項３】
前記信号調整器が、各前記サーバに設置されたドーターカードである、請求項１に記載のシステム。
【請求項４】
前記信号調整器が、それぞれのサーバに接続された外部信号調整デバイスである、請求項１に記載のシステム。
【請求項５】
前記信号調整器が、各前記サーバに設置されたコンピュータカードである、請求項１に記載のシステム。
【請求項６】
各対応するラインが、複数のワイヤを含む、請求項１に記載のシステム。
【請求項７】
前記複数のワイヤが、ＣＡＴ５形式である、請求項６に記載のシステム。
【請求項８】
各前記複数のワイヤが、複数のディファレンシャルペアを含む、請求項６に記載のシステム。
【請求項９】
少なくとも１つのスイッチであって、対応するラインを介して該スイッチに接続された複数のサーバの中の選択サーバの間で、キーボードおよびマウス信号を通信するために、少なくとも１つの前記インターフェイスポートに接続され、該スイッチに接続された各ラインは、複数のワイヤを含み、各該ワイヤは、複数のディファレンシャルペアを含み、各ディファレンシャルペアは、対応するダイオードのペアを含み、各該ダイオードのペアは、共通のディファレンシャルペアのスイッチされたワイヤバスに接続する、スイッチ
を含み、
該選択サーバからのＫＶＭ信号のビデオ信号は、該スイッチされたワイヤバスの制御下の該ダイオードペアの動作を介して、選択ラインへスイッチされる、
請求項１に記載のシステム。
【請求項１０】
前記スイッチは、前記選択ライン以外の他のラインに関連したダイオードを逆に偏向させる一方で、該選択ラインに関連した前記ダイオードを介して電流を流すことによって、アクティブなビデオ信号のスイッチングを実行する、請求項９に記載のシステム。
【請求項１１】
前記スイッチは、
前記送信手段によって送信されるＲ、Ｇ、Ｂ信号を受信するための手段であって、該Ｒ、Ｇ、Ｂ信号は、選択インターフェイスポートを介して受信される、手段
を含む、請求項９に記載のシステム。
【請求項１２】
キーボード、ビデオ、マウス（ＫＶＭ）信号管理システムにおいてビデオ信号をスイッチングする方法であって、該方法は、
複数のコモンモード電圧の前後で、複数のビデオ信号を差動的に符号化するステップと、
該ビデオ信号チャネルに、ダイオードのペアを組み込むステップであって、各該ダイオードのペアは、共通のディファレンシャルチャネルに接続され、該複数のビデオチャネルの間でスイッチするように制御される、ステップと、
該複数のビデオ信号チャネルの間から、選択ビデオ信号チャネルからのビデオ信号を選択するステップと
を含む方法。
【請求項１３】
キーボード、ビデオ、マウス（ＫＶＭ）拡張システム内のビデオ同期信号Ｈｓｙｎｃ、Ｖｓｙｎｃを符号化する方法であって、該方法は、
Ｒ、Ｇ、Ｂビデオ信号を、それぞれのコモンモード電圧信号の前後で、差動的に符号化するステップであって、該コモンモード信号は、該ビデオ同期信号の組み合わせのコード化された関数を表わす、ステップと、
Ｒ、Ｇ、Ｂビデオ信号を、それらそれぞれのコモンモード信号を除去できるように、差動的に駆動するステップであって、その結果、
（ｉ）各該ディファレンシャルビデオ信号によって生成される交流は、実質的に正味ゼロであり、
（ｉｉ）符号化された同期信号によって生成される交流は、実質的に正味ゼロである、
ステップと
を含む、方法。
【請求項１４】
ビデオ同期信号を表わす前記コモンモード電圧信号が、アナログディファレンシャル増幅器を介して除去される、請求項１３に記載の方法。
【請求項１５】
キーボード、ビデオ、マウス（ＫＶＭ）サーバ管理システム内のビデオ同期信号を符号化する方法であって、該方法は、
複数のサーバからＫＶＭ信号を受信するために、複数のインターフェイスポートを提供するステップであって、各インターフェイスポートは、ディファレンシャルビデオチャネルを含む、ステップと、
各ディファレンシャルビデオチャネルに対するスイッチングダイオードのペアを提供するステップと、
共通のディファレンシャルチャネルへ、異なるビデオチャネルを多重化するステップと、
Ｒ、Ｇ、Ｂビデオ信号を、各ディファレンシャルチャネルに対するそれらそれぞれのコモンモード信号の前後で、符号化するステップと、
Ｒ、Ｇ、Ｂビデオ信号とそれらそれぞれのコモンモード信号とを差動的に駆動するステップであって、該コモンモード信号は、ビデオ同期信号Ｈｓｙｎｃ、Ｖｓｙｎｃの関数をそれぞれ表わす、ステップと、
それぞれのディファレンシャルチャネルを有効もしくは無効にするために、それぞれ個々のディファレンシャルチャネルのコモンモード電圧を変化させ、かつ、該スイッチングダイオードを前方に偏向するか、または、逆に偏向することによって、個々のディファレンシャルビデオチャネルをスイッチングするステップと、
該ビデオ信号からコモンモード信号を除去し、元のビデオ同期信号を抽出するように、該Ｒ、Ｇ、Ｂビデオ信号を受信する終端で、コモンモードおよびディファレンシャルモードの終端処理の両方を提供するステップと
を含む、方法。
【請求項１６】
アナログロングインターコネクトによって提供されるＫＶＭ信号を、ネットワークサーバにインターフェイスさせる方法であって、該方法は、
それぞれのコモンモード信号で符号化されたビデオ同期を有するＲ、Ｇ、Ｂビデオチャネル信号を差動的に駆動するステップと、
拡張されたケーブル配線におけるＲ、Ｇ、Ｂチャネル信号上の伝送損失のための訂正周波数補正を提供するステップと、
複数のケーブル配線拡張の間を多重化するステップと、
ネットワークインターフェイスを介して、リモートユーザに、該Ｒ、Ｇ、Ｂチャネル信号を転送するステップと
を含む、方法。
【請求項１７】
複数のネットワークインターフェイスであって、各インターフェイスは、ＫＶＭ信号を、リモートユーザワークステーションへ伝達するためのネットワークポートを有し、各該ユーザワークステーションは、通信するように、対応するネットワークポートを介して、ＫＶＭ信号を、複数のネットワークサーバへ伝達するために、該ネットワークに接続された、複数のネットワークインターフェイスと、
該リモートユーザワークステーションと、該複数のネットワークサーバの間からの選択ネットワークサーバとの間で、ＫＶＭ信号を伝達するためのスイッチと
を含む、
キーボード、ビデオ、マウス（ＫＶＭ）サーバ管理システム。
【請求項１８】
キーボード、ビデオ、マウス（ＫＶＭ）サーバ管理システム内のビデオ同期信号を符号化する方法であって、該方法は、
複数のサーバから、ＫＶＭ信号を受信するために、複数のインターフェイスポートを提供するステップと、
各サーバインターフェイスポートに、各ディファレンシャルビデオチャネルに対するスイッチングダイオードのペアを提供するステップと、
共通のディファレンシャルチャネルに、ディファレンシャルビデオチャネルを多重化するステップと、
Ｒ、Ｇ、Ｂビデオ信号を、各ディファレンシャルチャネルに対するそれらそれぞれのコモンモード信号の前後で、符号化するステップと、
Ｒ、Ｇ、Ｂビデオ信号とそれらそれぞれのコモンモード信号とを差動的に駆動するステップであって、該コモンモード信号は、ビデオ同期信号Ｈｓｙｎｃ、Ｖｓｙｎｃの関数をそれぞれ表わす、ステップと、
該それぞれのチャネルのコモンモード電圧を変化させることによって、ディファレンシャルチャネルをスイッチングするステップと、
受信する終端で、コモンモードおよびディファレンシャルモードの終端処理の両方を受信するステップと、
を含む、方法。
【請求項１９】
前記スイッチングステップが、
それぞれ個々のチャネルを有効、もしくは、無効にするために、前記スイッチングダイオードを前方に偏向させる、または、逆に偏向させるステップ
をさらに含む、請求項１８に記載の方法。
【請求項２０】
前記ビデオ信号からコモンモード信号を除去するように、Ｒ、Ｇ、Ｂビデオ信号を提供するステップと、
元のビデオ同期信号を抽出するステップと
をさらに含む、請求項１９に記載の方法。
【請求項２１】
キーボード、ビデオ、マウス（ＫＶＭ）サーバ管理システムのビデオ同期信号を符号化する方法であって、該方法は、
デジタル化されたＫＶＭ信号をリモートユーザワークステーションと伝達するために、ネットワークインターフェイスのネットワークポートを、通信するように、ネットワークに接続するステップと、
通信するように、対応するラインを介して、複数のインターフェイスポートを、対応する複数のサーバに接続するステップと、
該対応するラインの１つを介して送信するために、サーバからのネイティブＫＶＭ信号を、伝送用の中間フォーマットに変換するステップと
を含む、方法。
【請求項２２】
対応するラインを介してスイッチに接続された複数のサーバの間の選択サーバの間で、キーボードおよびマウス信号を通信するために、少なくとも１つの前記インターフェイスポートに、少なくとも１つの該スイッチを通信するように接続するステップであって、該スイッチに接続された各ラインは、複数のワイヤを含み、各該ワイヤは、複数のディファレンシャルペアを含み、各ディファレンシャルペアは、対応するダイオードのペアを含み、各該ダイオードのペアは、共通のディファレンシャルペアのスイッチされたワイヤバスに接続される、ステップと、
該スイッチされたワイヤバスの制御下の該ダイオードペアの動作を介して、選択サーバからのＫＶＭ信号のビデオ信号を、選択ラインへスイッチするステップと
をさらに含む、請求項２１に記載の方法。
【請求項２３】
ネットワークを介して、デジタル化されたＫＶＭ信号をリモートユーザワークステーションに伝達するために、該ネットワークと通信するように接続されたネットワークポートと、
対応するラインを介して、対応する複数のサーバに通信するように直接接続された複数のインターフェイスポートと、
該対応するラインの１つを介して送信するために、サーバからのネイティブＫＶＭ信号を、中間フォーマットに転換する信号調整器と、
少なくとも１つのスイッチであって、対応するラインを介して該スイッチに接続された複数のサーバの中の選択サーバの間で、キーボードおよびマウス信号を通信するために、少なくとも１つのインターフェイスポートに通信するように接続され、該スイッチに接続された各ラインは、複数のワイヤを含み、各該ワイヤは、単一のダイオードを含む、スイッチと
を含むネットワークインターフェイスユニットを含み、
Ｒ、Ｇ、Ｂ信号は、該複数のサーバの間でサーバを選択するために、Ｒ、Ｇ、Ｂカラーコンポーネントの１つのシンクオングリーン符号化を利用して、それらそれぞれのコモンモード電圧信号の前後で符号化される、キーボード、ビデオ、マウス（ＫＶＭ）サーバ管理システム。
【請求項２４】
キーボード、ビデオ、マウス（ＫＶＭ）サーバ管理システムのビデオ同期信号を符号化する方法であって、該方法は、
デジタル化されたＫＶＭ信号をリモートユーザに伝達するために、ネットワークインターフェイスのネットワークポートを、通信するように、ネットワークに接続するステップと、
通信するように、対応するラインを介して、複数のインターフェイスポートを、対応する複数のサーバに接続するステップと、
該対応するラインの１つを介して送信するために、サーバからのネイティブＫＶＭ信号を、伝送用の中間フォーマットに変換するステップと、
対応するラインを介してスイッチに接続された複数のサーバの中の選択サーバの間で、キーボードおよびマウス信号を通信するために、少なくとも１つの該スイッチを、少なくとも１つのインターフェイスポートに通信するように接続するステップであって、該スイッチに接続された各ラインは、複数のワイヤを含み、各該ワイヤは、単一のダイオードを含む、ステップと、
Ｒ、Ｇ、Ｂ信号を、該複数のサーバの間でサーバを選択するために、シンクオングリーン符号化を利用して、それらそれぞれのコモンモード電圧信号の前後で符号化するステップと
を含む、方法。
【請求項２５】
ネットワークを介して、デジタル化されたＫＶＭ信号をリモートユーザワークステーションに伝達するために、該ネットワークと通信するように接続されたネットワークポートと、
コミュニケーションリンクを介して、通信するようにサーバに接続するインターフェイスポートと、
該コミュニケーションリンクを介して送信するために、サーバからのネイティブＫＶＭ信号を、中間フォーマットに転換する信号調整器と
を含むネットワークインターフェイスユニット
を含む、キーボード、ビデオ、マウス（ＫＶＭ）サーバ拡張システム。
【請求項２６】
複数のコモンモード電圧の前後で、対応する複数の差動的に符号化されたビデオ信号を出力するサーバブレードを受信するための、複数のサーバブレードバックプレーンスロットと、
該バックプレーンスロットにおける該複数のサーバブレードが、通常、接続し、通信するバックプレーンであって、該バックプレーンは、各該ブレードが、該複数の差動的に符号化されたビデオ信号の間のスイッチングを制御するために、ダイオードのペアを含む、ブレードと、
該ダイオードによってスイッチされた該差動的に符号化されたビデオ信号を受信するために、該バックプレーンと通信する少なくとも１つの受信器と
を含む、ビデオ信号スイッチ。
【請求項２７】
前記受信器が、該バックプレーンに物理的に接続される、請求項２６に記載のスイッチ。